(57)【要約】      （修正有）【課題】簡単な構造で容易に開封することができ、全体の強度を殆ど損なうことなく再封を可能とする包装用箱を提供する。【解決手段】組み立て状態において正面板３の開封部１８を開封すると、内蓋片４３の内側に接着し折畳まれた再封片４８と内蓋片４３、外蓋片１９が一緒に持ち上げられ、再封片４８を内蓋片４３から引き離すと貼着片４６が再封片４８の裏面に接着した状態で破断線４４に沿って再封片４８が剥れ、再封片４８を正面板３の開封用切込線１６の端部内側に係合させることにより外蓋片１９の再封を可能にしたことを特徴とする包装用箱。【選択図】図２
0003188892.tif 000002
【実用新案登録請求の範囲】
【請求項１】
一枚のブランクシートから一体的に打ち抜かれた箱体形成片からなり、前記箱体形成片には、第一側面板、正面板、第二側面板、背面板、側板糊付片が順に互いに平行な縦折罫線を介して連接され、前記第一側面板の上部には横折罫線を介して上フラップを、下部には横折罫線を介して下フラップを設け、正面板の上部には破断線と横折罫線を有する開封部を形成し、横折罫線を介して外蓋片を、正面板の下部に横折罫線を介して底外蓋片を設け、第二側面板の上部には横折罫線を介して上フラップを、下部には横折罫線を介して下フラップを設け、背面板の上部には横折罫線介して内蓋片を、背面板の下部に横折罫線を介して底内蓋片を設け、前記第一側面板、正面板、第二側面板、背面板、側板糊付片の縦折罫線を内折して筒状体とし、筒状体の一方の底蓋片側は両下フラップを内方向に折曲し、底外蓋片の裏面側に糊を塗布して底内蓋片の表面側に重合接着して底外蓋片を閉じ、他方の開口する外蓋片側から収納物品を入れて、外蓋片側の両上フラップを内折し、前記内蓋片の表面側に糊を塗布して前記外蓋片を重合接着して外蓋片を閉じた包装用箱において、
前記正面板（３）の上部に横折罫線（１５）とその両側に設けた開封用切込線（１６）（１６）の両端から破断線（１７）に囲まれた開封部（１８）を設け、前記横折罫線（１５）を介して外蓋片（１９）を設け、該外蓋片（１９）の裏面側上部に糊付部（２２）を設け、
前記背面板（５）の上部に横折罫線（４２）を介して内蓋片（４３）を、該内蓋片（４３）の上部に糊付部（４５）を有する貼着片（４６）を設け、さらに横折罫線（４７）を介して再封片（４８）を形成し、
第二側面板（４）と背面板（５）の間の縦折罫線（９）を内折して、次に側板糊付片（６）の表面側に糊を塗布し、第一側面板（２）と正面板（３）の間の縦折罫線（７）を内折して側板糊付片（６）の表面側と、第一側面板（２）と右端裏面側と接着して折畳み、
前記内蓋片（４３）の破断線（４４）に囲まれた貼着部（４６）の糊付部（４５）に糊を塗布して横折罫線（４７）を内折して再封片（４８）と重合接着して、前記上フラップ（１２）、（３４）を内折し、内蓋片（４３）の表面側に外蓋片（１９）の裏面側の糊付部（２２）に糊を塗布して内蓋片（４３）の表面側と重合接着されたことを特徴とする包装用箱。
【請求項２】
背面板（５）の内蓋片（４３）の貼着片（４６）の糊付部（４５）の裏面側に糊を塗布し、内蓋片（４３）の上部の横折罫線（４７）を内折して貼着片（４６）の裏面側と再封片（４８）を重合接着し、
第二側面板（４）の折畳み片（３９）の糊付部（３８）の裏面側に糊を塗布し、横折罫線（３７）を内折し、折曲片（４１）を外折し、下フラップ（３６）に折畳み片（３９）を重合接着させたことを特徴とする請求項１記載の包装用箱。
【考案の詳細な説明】
【技術分野】
【０００１】
本考案は薬剤などを収容するための包装用箱に関し、特に、開封後に再封を可能にする包装用箱に関するものである。
【背景技術】
【０００２】
従来から、薬剤などを収容して店頭に陳列される包装用箱として、一枚のブランクシートから一体的に打ち抜いた箱体形成片を立体的に組み立てた包装用箱が使用されている。
【０００３】
このような包装用箱としては、例えば、以下の構成の包装用箱（例えば、特許文献１参照。）が公知である。
即ち、箱体形成片として、平行に後板、側板、前板、側板、貼着片に各縦折線を介して連接し、後板、側板、側板の上部には横折線を介して各フラップを設ける。前板には横折線を介して内覆板、該内覆板の上部には横折線を介して内差込片、さらに横折線を介して外差込線、横折線を介して外覆片、横折線を介して天板を連設する。後板の上部には横折線が設け、貼着片の上部には横折線と対応する位置に切欠を設ける。側板、前板、側板に亘って、つなぎ部を有する破断用切込線が設けて、該破断用切込線は両端を横折線及び切欠の端部に繋げ、且つ、両側板に於いては斜め下方に傾斜させる。前板においては中央部を下方に巾広に凸出させ、該凸出部の左右巾は内外差込片の左右巾より少し大に形成する。後板、側板、前板、側板の下部には横折線を介して各底板を設ける。
【０００４】
そして、当該構成の箱体形成片について、横折線に沿って内覆板を前板に折り重ね、前板の破断用切取線より上の部分を内覆板に貼着し、次いで横折線に沿って外差込片を内差込片に折り重ねて、外差込片を内差込片に、外覆板を内覆板にそれぞれ貼着する。さらに、縦折線に沿って側板を前板の裏面折り重ねた後、縦折線に沿って後板を側板の裏面に折り重ねて、貼着片を後板に貼着して扁平状態に作成した段階で保管、搬送し、商品充填時に箱体胴部を自動充填機により開いて筒状にし、筒状の一方の端部を折り曲げ、貼着して閉鎖した後、他方の端部より商品を充填して該端部を閉鎖することで、包装用箱として組み立てられる。
【０００５】
当該特許文献１に係る包装用箱は、開口するには内外差込片の部分を摘持して上方に牽引すると、前板の破断線のつなぎ部の部分が切断されて、頭部を開口して収納品を取り出すことができる。そして収納品を取り出した後、内外差込片を破断用切取線の中央部下方に凸出した部分から箱体内に差し込んで頭部を再閉鎖する構成である。
【先行技術文献】
【特許文献】
【０００６】
【特許文献１】実開昭５４−１１３８２７号公報
【考案の概要】
【考案が解決しようとする課題】
【０００７】
しかし、上記特許文献１の包装用箱は、前板の上部に横折線を介して内覆板を設け、該内覆板の上部に横折線を介して内差込片を、該内差込片の上部に横折線を介して外差込片を設け、該外差込片の上部に横折線を介して外覆片を、さらに上部に横折線を介して天板を形成した構成で、前板の上部に内差込片、外差込片と天板を設けて従来のものより紙の取り分を上方に長く伸ばしたために、紙の取り分に無駄が多くなり、且つ、組立時に折り曲げ工程が増える欠点を有する。
【０００８】
又、特許文献１の包装用箱は、側板、前板、側板に亘って、つなぎ部を有する破断用切込線を設け、該破断用切込線は両端を横折線及び切欠の端部に繋げ、且つ、両側板は斜め下方に傾斜させ、前板においては中央部を下方に巾広に凸出させている構成であるため、開口部は大きく内部がよく見える反面、一旦開口すると再封後は箱体の側板部分の破断用切取線が長いため、開封後は側板が弱くなる欠点を有している。
【０００９】
本考案は、上記事情に鑑みてなされたものであり、簡単な構造で容易に開封することができ、箱体全体の強度を殆ど損なうことなく再封を可能とする包装用箱を提供することを、考案が解決しようとする課題とする。
【課題を解決するための手段】
【００１０】
本考案は、一枚のブランクシートから一体的に打ち抜かれた箱体形成片からなり、前記箱体形成片には、第一側面板、正面板、第二側面板、背面板、側板糊付片が順に互いに平行な縦折罫線を介して連接され、前記第一側面板の上部には横折罫線を介して上フラップを、下部には横折罫線を介して下フラップを設け、正面板の上部には破断線と横折罫線を有する開封部を形成し、横折罫線を介して外蓋片を、正面板の下部に横折罫線を介して底外蓋片を設け、第二側面板の上部には横折罫線を介して上フラップを、下部には横折罫線を介して下フラップを設け、背面板の上部には横折罫線介して内蓋片を、背面板の下部に横折罫線を介して底内蓋片を設け、組み立て状態で、前記第一側面板、正面板、第二側面板、背面板、側板糊付片の縦折罫線を内折して筒状体とし、筒状体の一方の底蓋片側は両下フラップを内方向に折曲し、底外蓋片の裏面側に糊を塗布して底内蓋片の表面側に重合接着して底外蓋片を閉じ、他方の開口する外蓋片側から収納物品を入れて、外蓋片側の両上フラップを内折し、前記内蓋片の表面側に糊を塗布して前記外蓋片を重合接着して外蓋片を閉じた包装用箱において、
前記正面板（３）の上部に横折罫線（１５）とその両側に設けた開封用切込線（１６）（１６）の両端から破断線（１７）に囲まれた開封部（１８）を設け、前記横折罫線（１５）を介して外蓋片（１９）を設け、該外蓋片（１９）の裏面側上部に糊付部（２２）を設け、
前記背面板（５）の上部に横折罫線（４２）を介して内蓋片（４３）を、該内蓋片（４３）の上部に糊付部（４５）を有する貼着片（４６）を設け、さらに横折罫線（４７）を介して再封片（４８）を形成し、
第二側面板（４）と背面板（５）の間の縦折罫線（９）を内折して、次に側板糊付片（６）の表面側に糊を塗布し、第一側面板（２）と正面板（３）の間の縦折罫線（７）を内折して側板糊付片（６）の表面側と、第一側面板（２）と右端裏面側と接着して折畳み、これを筒状に組み立てて箱体（Ｃ）に形成する。
前記内蓋片（４３）の破断線（４４）に囲まれた貼着部（４６）の糊付部（４５）に糊を塗布して横折罫線（４７）を内折して再封片（４８）と重合接着して、前記上フラップ（１２）、（３４）を内折し、内蓋片（４３）の表面側に外蓋片（１９）の裏面側の糊付部（２２）に糊を塗布して内蓋片（４３）の表面側と重合接着されたことを特徴とする包装用箱を、課題を解決するための手段とする。
【００１１】
また、本考案は、背面板（５）の内蓋片（４３）の貼着片（４６）の糊付部（４５）の裏面側に糊を塗布し、内蓋片（４３）の上部の横折罫線（４７）を内折して貼着片（４６）の裏面側と再封片（４８）を重合接着し、
第二側面板（４）の折畳み片（３９）の糊付部（３８）の裏面側に糊を塗布し、横折罫線（３７）を内折し、折曲片（４１）を外折し、下フラップ（３６）に折畳み片（３９）を重合接着させたことを特徴とする包装用箱を、課題を解決するための手段とする。
【考案の効果】
【００１２】
本考案の包装用箱は、箱体形成片には、第一側面板、正面板、第二側面板、背面板、側板糊付片が順に互いに平行な縦折罫線を介して連接され、前記第一側面板の上部には横折罫線を介して上フラップを、下部には横折罫線を介して下フラップを設け、正面板の上部には破断線と横折罫線を有する開封部を形成し、横折罫線を介して外蓋片を、正面板の下部に横折罫線を介して底外蓋片を設け、第二側面板の上部には横折罫線を介して上フラップを、下部には横折罫線を介して下フラップを設け、背面板の上部には横折罫線介して内蓋片を、背面板の下部に横折罫線を介して底内蓋片を設け、特許文献１のような天板や外覆片等のような突出した部分を有しない、概ね平面視外形が矩形となる箱体形成片の基本構成を前提として再封可能な包装用箱に適用することで、紙の取り分に無駄がなく、且つ、折畳み工程が少なくすることができる。
そして、前記正面板（３）の上部に横折罫線（１５）とその両側に設けた開封用切込線（１６）（１６）の両端から破断線（１７）に囲まれた開封部（１８）を設け、前記横折罫線（１５）を介して外蓋片（１９）を設け、該外蓋片（１９）の裏面側上部に糊付部（２２）を設け、前記背面板（５）の上部に横折罫線（４２）を介して内蓋片（４３）を、該内蓋片（４３）の上部に糊付部（４５）を有する貼着片（４６）を設け、さらに横折罫線（４７）を介して再封片（４８）を形成し、
第二側面板（４）と背面板（５）の間の縦折罫線（９）を内折して、次に側板糊付片（６）の表面側に糊を塗布し、第一側面板（２）と正面板（３）の間の縦折罫線（７）を内折して側板糊付片（６）の表面側と、第一側面板２と右端裏面側と接着して折畳み、これを筒状に組み立てて箱体（Ｃ）に形成した構成とし、前記内蓋片（４３）の破断線（４４）に囲まれた貼着部（４６）の糊付部（４５）に糊を塗布して横折罫線（４７）を内折して再封片（４８）と重合接着して、前記上フラップ（１２）、（３４）を内折し、内蓋片（４３）の表面側に外蓋片（１９）の裏面側の糊付部（２２）に糊を塗布して内蓋片（４３）の表面側と重合接着されることによって、上部及び底部において各上下フラップ、外蓋板及び内蓋板、底外蓋板及び底内蓋板、再封片、折畳片、折曲片によって、強度が確保され、更に、前記正面板（３）の上部に横折罫線（１５）とその両側に設けた開封用切込線（１６）（１６）の両端から破断線（１７）に囲まれた開封部（１８）を設けたことにより、側板の強度の低下が防止される。
【００１３】
そして、内蓋片（４８）の裏面側に形成した貼着片（４６）が再封片（４８）に接着した構成としたことによって、開口して再封片（４８）を引き起こすと、貼着片（４６）の糊付部（４５）が破断線（４４）より剥がれ、再封片（４８）の裏面に貼着片（４６）が付いた状態で再封片（４８）が立ち上がり、外蓋片（１９）が開封され、その後の再封において、再封片（４８）が箱体（Ｃ）の正面板（３）の開封用切込線（１６）、（１６）の端部内側に再封片（４８）を差し込み係合させて外蓋片（１９）とこれに重合された内蓋片（４８）の二重構造の蓋片によって再封できるので、蓋全体の強度が高く再封の操作が容易となり、開封後も箱体の側面板には切込もなく箱体全体の強度を殆ど損なうことなく強固とすることができ、これらの組み合わせ全体として、再封後においても強度に優れた包装用箱とすることができる。
【００１４】
また、開封部（１８）を開封して、再封片（４８）を内蓋片（４３）から引き離すことにより、内蓋片（４３）に設けた貼着片（４６）が再封片４８側に接着されているため、再封片（４８）が補強されるため、腰の強い丈夫な再封片（４８）による再封が可能となり、再封の操作が容易な包装用箱が提供できる。
【００１５】
内蓋片（４３）、外蓋片（１９）の形状を含めた概ね平面視外形が矩形となる箱体形成片の基本構成を前提として再封可能な包装用箱に適用することで、上記したように紙の取り分に無駄がなく、且つ、折畳み工程が少なくすることができるほか、従来の機械で折畳み、糊付けすることができる点においても優れたものとすることが出来る。
【００１６】
また、本考案は、上記考案の構成を前提として、背面板（５）の内蓋片（４３）の貼着片（４６）の糊付部（４５）の裏面側に糊を塗布し、内蓋片（４３）の上部の横折罫線（４７）を内折して貼着片（４６）の裏面側と再封片（４８）を重合接着し、第二側面板（４）の折畳み片（３９）の糊付部（３８）の裏面側に糊を塗布し、横折罫線（３７）を内折し、折曲片（４１）を外折し、下フラップ（３６）に折畳み片（３９）を重合接着させたことによって、上記考案の作用効果を奏する上に、底面側の強度を向上させることができる。
【図面の簡単な説明】
【００１７】
【図１】箱体形成片の展開表面図である。
【図２】箱体形成片の展開裏面図である。
【図３】図２から再封片を内蓋片の裏面に重合接着し、折畳み片を下フラップに重合接着した箱体形成片の折畳み工程を示す説明図である。
【図４】図３から第二側面板と背面板間の縦折罫線を内折して箱体形成片の折畳み工程を示す説明図である。
【図５】図４から側板糊付片の表面に糊を塗布し、第一側面板と正面板間の縦折罫線を内折して箱形成片の折畳み工程を示す説明図である。
【図６】図５を筒状に起して横に倒した状態の斜視図である。
【図７】（ａ）は箱体の外蓋片、内蓋片、再封片の重合状態を説明する箱体側面の一部拡大図、（ｂ）は（ａ）の外蓋片と内蓋片と再封片の重合状態の一部拡大断面説明図である。
【図８】開封部を開封して内蓋片と再封片と外蓋片が一緒に持ち上げられた箱体の開封状態を説明する一部拡大斜視図である。
【図９】開封状態の再封片を引き起し、再封片の裏面に貼着片が接着した状態を説明する一部拡大斜視図である。
【図１０】再封片を開封用切込線の端部内側に差し込む再封状態を説明する一部拡大斜視図である。
【図１１】外蓋片を閉じた再封状態の一部拡大斜視図である。
【考案を実施するための形態】
【００１８】
以下、本件考案の箱体形成片の実施形態について、図面に基づいて説明する。
図１は箱体形成片の展開表面図、図２は箱体形成片の展開裏面図、図３乃至図５は箱体形成片の折畳み工程を示す説明図である。
【実施例】
【００１９】
図１及び図２に示す如く、箱体形成片１には、第一側面板２、正面板３、第二側面板４、背面板５、側板糊付片６が順に互いに平行な縦折罫線７、８、９、１０を介して連接される。
【００２０】
前記第一側面板２の上部に横折罫線１１を介して上フラップ１２を、下部に横折罫線１３を介して下フラップ１４を設ける。
【００２１】
正面板３の上部には中央に横折罫線１５とその両側に開封用切込線１６、１６の両端から破断線１７に囲まれたＵ字状の開封部１８を設け、前記横折罫線１５と開封切込線１６、１６を介して外蓋片１９を設け、該外蓋片１９の裏面側に糊付部２２が形成されている。また、前記正面板３の下部に横折罫線２４を介して底外蓋片２８を設け、該底外蓋片２８の裏面側に糊付部３１が形成されている。
【００２２】
背面板５の上部には横折罫線４２を介して内蓋片４３を設け、該内蓋片４３の上部中央に半円弧状の破断線４４に囲まれた糊付部４５を有する貼着片４６を設け、横折罫線４７を介して再封片４８を形成する。また、背面板５の下部に横折罫線目４９を介して底内蓋片５０を設ける。
【００２３】
第二側面板の上部には横折罫線３３を介して上フラップ３４が形成されている。また、第二側面板４の下部に横折罫線３５を介して下フラップ３６を、該下フラップ３６に連設して横折罫線３７を介して折畳み片３９を設け、該折畳み片３９の裏面側に糊付部３８を設け、該折畳み片３９に横折罫線４０を介して折曲片４１が形成されている。
【００２４】
次に箱体形成片１の折畳み工程を説明するに、
背面板５の上部の内蓋片４３の貼着片４６に設けた糊付部４５の裏面側に糊を塗布し、内蓋片４３の横折罫線４７を内折し、貼付片４６の裏面側と再封片４８を重合接着させ、
第二側面板４の折畳み片３９の裏面側の糊付部３８に折畳み片３９を重合接着させ、また折曲片４１は横折罫線４０を外折して下フラップ３６の横折罫線３５に沿って折り曲げられる（図３参照。）。
【００２５】
次にこの箱体形成片１の箱体Ｃに組み立てる工程について説明するに、
前記、図３に示すごとく、第二側面板４の折畳み片３９の裏面側に糊付部３８に糊を塗布し、横折罫線３７を内折し、下フラップ３６の裏面と重合接着させて、背面板５の内蓋片４３の上部に設けた貼着片４６の糊付部４５の裏面に糊を塗布し、内蓋片４３の上部の横折罫線４７を内折して内蓋片４３の裏面側の貼着片４６と再封片４８を重合接着させる。
【００２６】
次に第二側面板４と背面板５の間の縦折罫線９を内折して図４の状態に折畳み、次に側板糊付片６の表面側に糊を塗布し、第一側面板２と正面板３の間の縦折罫線７を内折して側板糊付片６の表面側と、第一側面板２と右端裏面側と接着して図５の状態に折畳み、これを立ち上げて筒状に組み立てて箱体Ｃに形成する。
この図５の状態で収納物を収納する迄、扁平に折畳まれた状態で保管、搬送するものである。
【００２７】
箱体Ｃの筒状の底面を閉じるには、第一側面板２と下フラップ１４間の横折罫線目１３と、第二側面板４と折畳み片３９を重合接着した下フラップ３６間の横折罫線３５をそれぞれ直角に内折し、
背面板５と底内蓋片５０間の横折罫線４９と、正面板３の底外蓋片２８に設けた糊付部３１に糊を塗布し，正面板３と底外蓋片２８の間の横折罫線２４をそれぞれ直角に内折して、糊付部３１の裏面側に糊を塗布し、底外蓋片２８の裏面側と底内蓋片５０の表面側と重合接着して箱体Ｃの底面を閉じる。
【００２８】
次に箱体の開口部Ｋから薬品などの収納物を入れて第一側面板２と上フラップ１２間の横折罫線１１と、第二側面板４と上フラップ３４間の横折罫線３３をそれぞれ直角に内折し、背面板５と再封片４８を内側に重合した内蓋片４３間の横折罫線４２を直角に内折して、正面板３と外蓋片１９間の開封用切込線１６，１６と横折罫線１６を直角に内折して外蓋片１９の糊着部２２の裏面側に糊を塗布して内蓋片４３の表面側に外蓋片１９を重合接着させて箱体Ｃの開口部を閉じる。
【００２９】
箱体を開口するには正面板３の開封部１８に指をかけて開封用切込線１６、１６と破断線１７を破断して前記内蓋片４３の内側に折畳まれた再封片４８と内蓋片４３と外蓋片１９が一緒に持ち上がり、再封片４８を内蓋片４３から引離すことにより貼着片４６は破断線４４に沿って剥がれて内蓋片４３の貼着片４６は再封片４８の裏面と接着した状態で立ち上がり、前記引起した再封片４８には貼着片４６が接着されており、再封片４８の裏面側を補強して前記箱体Ｃの正面板の開封用切込線１６、１６の端部内側に係合することによって前記外蓋片１９による再封を可能にした再封片４８を有する包装用箱が提供できる。
【００３０】
内蓋片４３に設けた貼着片４６の糊付部４５と再封片４８の裏面に接着されて再封片４８が腰強く補強されて丈夫となり、内蓋片４３の表面と外蓋片１９に設けた糊付部２２の裏面と直接接着されており、内蓋片４３、外蓋片１９の折畳み形状が従来のものと変わらず、折畳み工程が少なく、一枚のブランクシートから紙の取り分に無駄がなく、側面板に切込がなく開封後も箱体は丈夫であり、外蓋片１９の再封を可能にした再封片４８を有する包装用箱が提供できる。
【００３１】
内蓋片４３の表面と外蓋片１９の裏面が糊付部２２とが接着されているため、材料を少なくして簡単な形状で外蓋片１９が補強されて外蓋片１９ヘの再封が可能な再封片４８を有する包装用箱が提供できる。
【００３２】
第二側面板４の下フラップ３６に横折罫線３７を介して折畳み片３９に横折罫線４０を介して折曲片４１を形成したのは、図２に示す再封片４８を内蓋片４３に重合貼着させた紙厚と、下フラップ３６と折畳み片３９を重合貼着させた紙厚が相違すると図３の折畳んだ状態で箱体形成片１を複数枚積み重ねた場合、箱体形成片１の折畳み状態で紙の厚さが上下相違すると、箱体形成片１が扇状に位置ずれが生じ、次の折畳み工程に支障をきたすので、積み重ねた場合の紙の厚さを調整するために設けたものである。
【符号の説明】
【００３３】
１      箱体形成片
２      第一側面板
３      正面板
４      第二側面板
５      背面板
６      側板糊付片
７      縦折罫線
８      縦折罫線
９      縦折罫線
１０    縦折罫線
１１    横折罫線
１２    上フラップ
１３    横折罫線
１４    下フラップ
１５    横折罫線
１６    開封用切込線
１７    破断線
１８    開封部
１９    外蓋片
２２    糊付部
２４    横折罫線
２８    底外蓋片
３１    糊付部
３３    横折罫線
３４    上フラップ
３５    横折罫線
３６    下フラップ
３７    横折罫線
３８    糊付部
３９    折畳み片
４０    横折罫線
４１    折曲片
４２    横折罫線
４３    内蓋片
４４    破断線
４５    糊付部
４６    貼着片
４７    横折罫線
４８    再封片
４９    横折罫線
５０    底内蓋片
Ｃ    箱体
Ｋ    開口部
【図１】
0003188892.tif 000003
【図２】
0003188892.tif 000004
【図３】
0003188892.tif 000005
【図４】
0003188892.tif 000006
【図５】
0003188892.tif 000007
【図６】
0003188892.tif 000008
【図７】
0003188892.tif 000009
【図８】
0003188892.tif 000010
【図９】
0003188892.tif 000011
【図１０】
0003188892.tif 000012
【図１１】
0003188892.tif 000013